(57)【特許請求の範囲】
【請求項１】
ハウジングに収容されたモータと、
該モータにより駆動される切断刃と、
該切断刃の周囲を覆うように配置されたダストカバーと、
前記ダストカバーの上方に配置されたライトと、
を有する携帯用切断工具において、
前記ダストカバーを、左右２分割に形成した透光性を有する樹脂で構成し、その分割面上に前記ライトを配置すると共に、
前記ライトの下方に位置する前記ダストカバーに、前記ライトからの光を前記２分割されたダストカバーのそれぞれに取り込むリブを形成し、
前記ライトから照射される光を、前記２分割されたダストカバーを透過させることにより前記切断刃の周囲を照明するようにした
ことを特徴とする携帯用切断工具。
【請求項２】
前記リブから下方において、前記ダストカバーの左右の分割片には、ライトからの光を水平方向に伝える水平部と、各水平部からからの光を垂直下方に照射する垂直部がそれぞれ形成されていることを特徴とする請求項1記載の携帯用切断工具。
【請求項３】
前記リブと前記水平部との接続部、及び、前記水平部と前記垂直部との接続部は、湾曲した形状に形成されていることを特徴とする請求項２記載の携帯用切断工具。
【発明の詳細な説明】
【技術分野】
【０００１】
本発明は、切断刃付近を光を照射するライトを備えた携帯用切断工具に関するものである。
【背景技術】
【０００２】
携帯用切断工具を用いて木材や石膏ボード等の被切断材を切断する作業においては、粉塵が周囲に飛散して作業環境を汚染するため、切断刃の周囲をダストカバーによって覆う構成が採用されていた（例えば、特許文献１参照）。
【０００３】
又、切断箇所の視認性を高めるためにライトを設け、該ライトによって切断刃の周辺を照明したり、ダストカバーに光ファイバー等の光伝達部品を設けることが行われていた。
【特許文献１】実公平１−０２６４０２号公報
【発明の開示】
【発明が解決しようとする課題】
【０００４】
ところが、切断作業時に粉塵を発生する携帯用切断工具に切断刃の周辺を照明するライトを設けた場合、粉塵がダストカバーやライトに付着し、ライトから照射される光が粉塵によって遮られて切断刃まで到達せず、切断刃の周辺を十分照明することができないという問題があった。又、ダストカバーに光ファイバー等の光伝達部品を設けるとコストアップを招くという問題があった。
【０００５】
本発明は上記問題に鑑みてなされたもので、その目的とする処は、別部品の追加によるコストアップを招くことなく、粉塵の付着による切断刃周辺の照明低下を防ぐことができる携帯用切断工具を提供することにある。
【課題を解決するための手段】
【０００６】
上記の目的を達成するために本発明は、ハウジングに収容されたモータと、該モータにより駆動される切断刃と、該切断刃の周囲を覆うように配置されたダストカバーと、前記ダストカバーの上方に配置されたライトと、を有する携帯用切断工具において、前記ダストカバーを、左右２分割に形成した透光性を有する樹脂で構成し、その分割面上に前記ライトを配置すると共に、前記ライトの下方に位置する前記ダストカバーに、前記ライトからの光を前記２分割されたダストカバーのそれぞれに取り込むリブを形成し、前記ライトから照射される光を、前記２分割されたダストカバーを透過させることにより前記切断刃
の周囲を照明するようにしたことを特徴とする。
【０００７】
本発明の他の特徴は、前記リブから下方において、前記ダストカバーの左右の分割片には、ライトからの光を水平方向に伝える水平部と、各水平部からからの光を垂直下方に照射する垂直部がそれぞれ形成されていることにある。
【０００８】
本発明の他の特徴は、前記リブと前記水平部との接続部、及び、前記水平部と前記垂直部との接続部を湾曲した形状に形成したことにある。
【発明の効果】
【００１０】
本発明によれば、ダストカバーを透光性を有する樹脂で構成し、ライトから照射される光をダストカバーの透光性を有する樹脂内に取り込んで透過させることによって切断刃付近を照明するようにしたため、切断箇所の視認性が粉塵の付着によって低下することがなく、切断作業を正確且つ能率良く行うことができる。そして、この効果は光ファイバー等の別部品を追加することなく得られるため、コストアップを招くことがない。
【００１１】
本発明によれば、ダストカバーを左右２分割構造とするとともに、その分割面上にライトを配置したため、ライトから出射される光をダストカバーの左右の分割片に均等に振り分けて該分割片の透光性を有する樹脂内を透過させることができ、切断刃の周辺を均一に照明して切断箇所の視認性を高めることができる。又、分割面にライトを配置したため、ライトの通路を簡単に構成することができる。
【００１２】
本発明によれば、ダストカバーのライトの下方の部位にリブを形成したため、ライトから照射された光をリブによってダストカバーの透光性を有する樹脂内に取り込むことができる。又、リブによってライトの光を無駄なく効率良く利用することができる。
【００１３】
本発明によれば、ダストカバーの屈曲部をＲ形状又は斜面形状としたため、該ダストカバーの透光性を有する樹脂内に取り込まれたライトの光を屈曲部のＲ形状又は斜面形状で反射させて該屈曲部に沿って透過させることができ、透過した光をダストカバーの端面から出射させて切断刃の周辺を効率良く照明することができる。
【発明を実施するための最良の形態】
【００１４】
以下に本発明の実施の形態を添付図面に基づいて説明する。
【００１５】
図１は本発明に係る携帯用切断工具の左側面図、図２は同携帯用切断工具の破断左側面図、図３は同携帯用切断工具の正面図、図４は同携帯用切断工具前部の底面図、図５は同携帯用切断機前部の右側面図、図６は同携帯用切断機前部の左側面図、図７は図６のＡ−Ａ線断面図である。
【００１６】
図示の携帯用切断工具１は、左右２分割構造のハウジング２を備えており、図２に示すように、このハウジング２内には駆動源であるモータ３と、該モータ３の回転を減速する減速機及びモータ３の減速された回転をナイフ状の切断刃４の揺動及び上下運動に変換するクランク機構等が収納されている。
【００１７】
又、ハウジング２の前端下部（図１及び図２の左方を前方とする）には案内定盤５が取り付けられており、ハウジング２の後端には充電可能なバッテリ６が着脱可能に装着され、ハウジング２のハンドル部２Ａの下面にはトリガスイッチ７が設けられている。
【００１８】
ところで、図２に示すように、前記モータ３から前方に向かって延びる出力軸（モータ軸）３ａの先端には小径のベベルギヤ８が結着されている。又、ハウジング２の前部には回転軸９がモータ軸３ａに対して直角（図２の紙面垂直方向）に配されており、この回転軸９には大径のベベルギヤ１０と不図示の偏心カムが結着されており、ベベルギヤ１０はモータ軸３ａの先端に結着された前記ベベルギヤ８に噛合している。尚、ベベルギヤ８，１０によって前記減速機構が構成されている。
【００１９】
更に、ハウジング２内の前部には、その上端部が前記偏心カムに係合する切断刃取付ロッド１１が設けられており、この切断刃取付ロッド１１の下部は不図示の揺動支点を中心として前後に揺動及び上下に移動可能であって、その下端部には保持具１２及びこれに挿通する２本のボルト１３によって前記切断刃４が取り付けられている。ここで、図７に示すように、前記案内定盤５には前後方向に長いスリット状の刃口５ａが貫設されており、切断刃４は刃口５ａを貫通してその一部が案内定盤５の下方へ突出している。尚、偏心カムとこれに係合する切断刃取付ロッド１１によって前記クランク機構が構成されている。
【００２０】
又、ハウジング２の前部には、粉塵の飛散を防ぐための箱状のダストカバー１４が図５に示すボルト１５によって取り付けられており、このダストカバー１４によって切断刃４の周囲が覆われている。ここで、ダストカバー１４は、ポリカーボネイト（ＰＣ）等の透明又は半透明等の透光性を有する樹脂で構成されており、図３に示すように、ハウジング２の分割面と同じ面で左右に２分割され、該ダストカバー１４の左右の分割片１４Ａ，１４Ｂは、図５に示す２本の固定ねじ１６によって結合一体化されている。
【００２１】
ところで、本実施の形態では、図６及び図７に示すように、ハウジング２の前面上部には、該ハウジング２の左右の分割面に沿って側面視円弧状の凸部２ａが突設されており、この凸部２ａの下面はダストカバー１４の左右の分割面１４Ａ，１４Ｂに向かって開口している。そして、ハウジング２の凸部２ａ内には、図７に示すように、ＬＥＤ等のライト１７が収容されており、このライト１７から延びる不図示のリード線は、ハウジング２の凸部２ａ内及びハウジング２内を通って前記バッテリ６に接続されている。
【００２２】
他方、透光性を有する樹脂によって構成されたダストカバー１４は、前述のように左右の分割片１４Ａ，１４Ｂが２本の固定ねじ１６によって結合一体化されているが、図７に示すように、該ダストカバー１４の分割面上に前記ライト１７が配置されている。又、図７に示すように、ダストカバー１４のライト１４の下方の部位には、ライト１４から照射された光を当該ダストカバー１４の樹脂内に取り込むための幅の狭いリブ１４ａが光の照射方向（上下方向）に沿って形成されている。即ち、ダストカバー１４の左右の分割片１４Ａ，１４Ｂのライト１７の下方に部位に凹部（窪み）１４ｂがそれぞれ形成されることによって、その分割面に沿うリブ１４ａが形成されており、このリブ１４ａから下方において左右の分割片１４Ａ，１４Ｂには水平部１４ｃと各水平部１４ｃから垂直下方に延びる垂直部１４ｄがそれぞれ形成されている。
【００２３】
そして、ダストカバー１４の左右の分割片１４Ａ，１４Ｂのリブ１４ａよりも下方の部位においては、図７に示すように、リブ１４ａと水平部１４ｃとの接続部である直角の屈曲部１４ｅはＲ形状に成形され、又、水平部１４ｃと垂直部１４ｄとの接続部である直角の屈曲部１４ｆもＲ形状に成形されている。
【００２４】
次に、以上のように構成された携帯用切断工具１の動作について説明する。
【００２５】
作業者がハウジング２のハンドル部２Ａを把持して指でトリガスイッチ７を引いてこれをＯＮすると、バッテリ６からモータ３に通電されて該モータ３が起動され、このモータ３の出力軸（モータ軸）３ａが回転駆動される。そして、このモータ軸３ａの回転は、ベベルギヤ８，１０によって減速及び回転方向が直角に切り換えられて回転軸９に伝達され、該回転軸９とこれに結着された不図示の偏心カムが所定の速度で回転駆動される。
【００２６】
上述のように偏心カムが回転すると、この偏心カムにその上部が係合する切断刃取付ロッド１１が下部の不図示の支点を中心として揺動しつつ上下運動をするため、その下端に取り付けられたナイフ状の切断刃４も同様の運動を行い、この切断刃４によって石膏ボード等の不図示の被切断材が切断される。そして、この切断によって粉塵が発生するが、前述のように切断刃４の周囲はダストカバー１４によって覆われているため、粉塵の周囲への飛散はダストカバー１４によって防がれる。
【００２７】
而して、上述のように切断によって粉塵が発生すると、この粉塵はダストカバー１４の内面に付着して切断箇所の視認性が低下するが、このような場合には不図示のスイッチをＯＮしてバッテリ６からライト１７に給電することによって該ライト１７を点灯させれば、このライト１７から照射される光がダストカバー１４の透明な樹脂内に取り込まれ、この取り込まれた光は樹脂内を透過して切断刃４の周辺を照明するため、切断箇所の視認性が粉塵の付着によって低下することがなく、切断作業を正確且つ能率良く行うことができる。
【００２８】
即ち、図７に矢印にて示すように、ライト１７から垂直下方に出射される光は、その下部に形成されたダストカバー１４のリブ１４ａによって該ダストカバー１４の透明な樹脂の内部に取り込まれ、その一部は照射光Ｌ１として切断刃４を上方から照らし、残りの光はダストカバー１４のＲ形状を成す屈曲部１４ｅに沿って直角に屈曲してダストカバー１４の左右の分割片１４Ａ，１４Ｂの各水平部１４ｃの内部を水平に透過した後、Ｒ形状を成す屈曲部１４ｆに沿って直角に屈曲してダストカバー１４の左右の分割片１４Ａ，１４Ｂの各垂直部１４ｄの内部を垂直下方に透過し、最後に各垂直部１４ｄの下端面から照射光Ｌ２，Ｌ３として大気中に出射して切断刃４の周辺を照らす。尚、本実施の形態では、ダストカバー１４の左右の分割片１４Ａ，１４Ｂの各屈曲部１４ｅ，１４ｆをＲ形状としたが、斜面形状とすることによって樹脂内を透過する光を反射させ、その光の透過方向を直角に曲げるようにしても良い。
【００２９】
以上のように、本実施の形態では、ダストカバー１４を透明な樹脂で構成し、該ダストカバー１４のライト１７の下方の部位にリブ１４ａを形成したため、ライト１７から照射される光をリブ１４ａからダストカバー１４の透明な樹脂内に取り込んで透過させることによって切断刃４付近を照明することができる。この結果、切断箇所の視認性が粉塵のダストカバー１４内面への付着によって低下することがなく、切断作業を正確且つ能率良く行うことができる。そして、この効果は光ファイバー等の別部品を追加することなく得られるため、コストアップを招くことがない。
【００３０】
又、本実施の形態では、ダストカバー１４を左右２分割構造とするとともに、その分割面上にライト１７を配置したため、ライト１７から出射される光をダストカバー１４の左右の分割片１４Ａ，１４Ｂに均等に振り分けて該分割片１４Ａ，１４Ｂの透明な樹脂内を透過させることができ、切断刃４の周辺を均一に照明して切断箇所の視認性を高めることができる。又、ダストカバー１４の分割面にライト１７を配置したため、該ライト１７の通路を管単に構成することができる。
【００３１】
更に、本実施の形態では、ダストカバー１４の左右の分割片１４Ａ，１４Ｂの屈曲部１４ｅ，１４ｆをＲ形状としたため、左右の分割片１４Ａ，１４Ｂの透明な樹脂内に取り込まれたライト１７の光を屈曲部１４ｅ，１４ｆのＲ形状で反射させて該屈曲部１４ｅ，１４ｆに沿って透過させることができ、透過した光を左右の分割片１４Ａ，１４Ｂの下端面から出射させて切断刃４の周辺を効率良く照明することができる。又、凹部１４ｂを形成することによりライト１７からの光がリブ１４ａに集中するため、ダストカバー１４の上側で光が分散することがなく、切断刃４付近を確実に照射することができる。
【００３２】
尚、以上は本発明をナイフ状の切断刃を揺動及び上下運動させることによって切断を行う携帯用切断工具に適用した形態について説明したが、本発明は、円板状の回転刃を回転させて切断を行うディスクグラインダ等の他の任意の携帯用切断工具に対しても同様に適用可能であることは勿論である。
【図面の簡単な説明】
【００３３】
【図１】本発明に係る携帯用切断工具の左側面図である。
【図２】本発明に係る携帯用切断工具の破断左側面図である。
【図３】本発明に係る携帯用切断工具の正面図である。
【図４】本発明に係る携帯用切断工具前部の底面図である。
【図５】本発明に係る携帯用切断工具前部の右側面図である。
【図６】本発明に係る携帯用切断工具前部の左側面図である。
【図７】図６のＡ−Ａ線断面図である。
【符号の説明】
【００３４】
１              携帯用切断工具
２              ハウジング
２Ａ            ハウジングのハンドル部
２ａ            ハウジングの凸部
３              モータ
３ａ            モータの出力軸（モータ軸）
４              切断刃
５              案内常盤
５ａ            案内常盤の刃口
６              バッテリ
７              トリガスイッチ
８              ベベルギヤ
９              回転軸
１０            ベベルギヤ
１１            切断刃取付ロッド
１２            保持具
１３            ボルト
１４            ダストカバー
１４Ａ，１４Ｂ  ダストカバーの分割片
１４ａ          ダストカバーのリブ
１４ｂ          ダストカバーの凹部（窪み）
１４ｃ          ダストカバーの水平部
１４ｄ          ダストカバーの垂直部
１４ｅ，１４ｆ  ダストカバーの屈曲部
１５            ボルト
１６            固定ねじ
１７            ライト
Ｌ１，Ｌ２      照射光
【図１】
0005229538.tif 000002
【図２】
0005229538.tif 000003
【図３】
0005229538.tif 000004
【図４】
0005229538.tif 000005
【図５】
0005229538.tif 000006
【図６】
0005229538.tif 000007
【図７】
0005229538.tif 000008